(57)【特許請求の範囲】
【請求項１】
入射光を空間変調して再生面に光パターンを再生して０次光を当該光パターンの領域外に分離する、または入射光を回析して集光面に光パターンを集光して０次光を当該光パターンの領域外に分離する、光パターン形成装置であって、
前記光パターンを作成する第１位相分布ｆ（ｘ、ｙ）と、前記０次光を分離させる第２位相分布ｇ（ｘ、ｙ）と、を合成した二次元位相分布Ｆ（ｘ，ｙ）を、周期を伴い且つ折り返して得られる位相データを用いて発生させ、前記入射光を透過または反射させて前記光パターンを形成する光学素子を有し、
前記第１位相分布と前記第２位相分布とを重ねる交差角度をθ、前記第２移送分布ｇ（ｘ、ｙ）をｇ（ｘ、ｙ）＝β（ｘｃｏｓθ＋ｙｓｉｎθ）とし、前記二次元位相分布Ｆ（ｘ，ｙ）のｘ方向の勾配をＦｘとし、前記二次元位相分布Ｆ（ｘ，ｙ）のｙ方向の勾配をＦｙとしたとき、１／［Ｆｘ２＋Ｆｙ２］１／２が最大となる前記交差角度θで、前記第１位相分布と前記第２位相分布とを重ねることを特徴とする光パターン形成装置。
【請求項２】
請求項１において、
前記位相データは２ｍπ（ｍは自然数）の周期で折り返され、前記交差角度θは、前記二次元位相分布Ｆ（ｘ，ｙ）の周期Ｐ＝２ｍπ／［Ｆｘ２＋Ｆｙ２］１／２が最大になるように構成されていることを特徴とする光パターン形成装置。
【請求項３】
請求項２において、
前記周期Ｐは可変周期であり、前記交差角度θは、前記可変周期の中で最も小さい周期をＰｍｉｎとしたとき、前記交差角度θは、Ｐｍｉｎ＝２ｍπ／［Ｆｘ２＋Ｆｙ２］１／
２が最大になるように構成されていることを特徴とする光パターン形成装置。
【請求項４】
請求項１乃至３のいずれかにおいて、
前記光学素子は、前記位相データの電気信号により駆動されることを特徴とする光パターン形成装置。
【請求項５】
請求項４において、
前記第２位相分布は一次元の周期性をもち、一周期の分布形状が非対称性を有することを特徴とする光パターン形成装置。
【請求項６】
請求項５において、
前記第２位相分布は、鋸歯状の分布形状であることを特徴とする光パターン形成装置。
【請求項７】
請求項１乃至６のいずれか記載の光パターン形成装置を有することを特徴とする電子機
器。
【請求項８】
レーザー光源と、
前記レーザー光源からのレーザー光が入射される請求項１乃至６のいずれか記載の光パターン形成装置と、
を有し、
前記光パターン形成装置からの光パターンに基づいてワークを加工することを特徴とするレーザー加工機。
【発明の詳細な説明】
【技術分野】
【０００１】
本発明は、光パターン形成装置、電子機器及びレーザー加工機等に関する。
【背景技術】
【０００２】
微細凹凸構造や空間光変調器を用いると、２次元ならびに３次元の光強度分布をホログラフィックに再生できる。このパターン再生技術はレーザープロセス、レーザーディスプレイ、その他へ応用が可能であり、産学で実用化研究が進んでいる。
【０００３】
所望パターンを作成する回折光学素子から再生された光パターン（ビームアレイ）には必ず０次光が付随する。光パターンの応用により、この０次光が必要な場合もあれば不要な場合もある。いずれにしても、素子製作時の誤差により、０次光には不要なエネルギーが残り、パターンの強度分布が乱れてしまう。例えば、レーザー加工へ応用した場合には、加工の均一性が低下し、不要な場所が加工されるといった問題が生じる。
【０００４】
図１（Ａ）〜図１（Ｃ）は、０次光２０Ａ〜２０Ｃを回避する原理を示す。図１（Ａ）では、所望パターンを形成する回折光学素子１０Ａに入射光が入射されて形成された光パターンは、集光レンズ１２により集光され、０次光２０Ａはマスク１４で遮られる一方で回折光であるビームアレイ２２Ａがマスク１４を通過する。
【０００５】
図１（Ｂ）の回折光学素子１０Ｂには、所望パターン形成する位相分布に搬送格子の位相分布が重ねられている。回折光学素子１０Ｂの搬送格子により搬送波の位相分布が付与されたビームアレイ２２Ｂを、０次光２０Ｂから分離している。
【０００６】
図１（Ｃ）では、回折光学素子１０Ｃによりビームアレイ２２Ｃのみが集光される一方で０次光２０Ｃは集光されずに平行光となり、ビームアレイ２２Ｃに重畳する０次光２０Ｃは強度が弱くなってビームアレイに対して無視できるようになる。
【０００７】
図１（Ｂ）の回折光学素子１０Ｂは搬送格子とは、回折光パターン（ビームアレイ）２Ｂを運ぶ搬送波の位相分布であり、回折光パターン２２Ｂを付与するための位相分布に重ねられ、回折光パターン（ビームアレイ）２２Ｂを０次光２０Ｂから離している。非特許文献１，２は、図１（Ｂ）の原理を用いた光パターン形成装置を開示している。
【０００８】
特許文献１では、位相変調型の空間光変調器に入力される位相パターンとして、光パターンに対応する主位相パターンに、所定の波面歪みを補正する副位相パターンを足し合わせた位相パターンを採用している。こうすると、波面歪みによって０次光の結像度が低下するので、０次光の輝度が出力面上で低減される。読出し光の０次光以外の成分に与えられる波面歪みは、副位相パターンによって補正されることにより、出力面上における光パターンのぼけが防止される。
【先行技術文献】
【特許文献】
【０００９】
【特許文献１】特開２００６−０７２２８０号公報
【非特許文献】
【００１０】
【非特許文献１】Appl. Opt. 37, 5454-5460(1998)
【非特許文献２】Opt. Lett. 22, 928-930(1997)
【発明の概要】
【発明が解決しようとする課題】
【００１１】
非特許文献１，２の技術によれば、光パターン（ビーム列）をつくる位相分布は一次元である。したがって、光パターンを形成する第１位相分布と、０次光を分離させる第２位相分布との重ね方は二通りとなり、第１，第２位相分布の交差角度が０度か９０度である。
【００１２】
図２は、交差角度９０度で作成した位相分布から再生された光パターンを示し、０次光２０Ｂから分離された９０本×２段のビーム列（光パターン）２２Ｂ１，２２Ｂ２を示している。図２では、第１位相分布で形成されるビーム列２２Ｂ１，２２Ｂ２が一次元であり、横方向に延びている。よって、０次光２０Ｂからビーム列２２Ｂ１，２２Ｂ２を離す方向は、左右方向（交差角度が０度）よりも上下方向（交差角度が９０度）の方が短い。この場合、第１，第２位相分布の交差角度は９０度が選択される。
【００１３】
しかし、光パターンの位相分布は一次元に限らない。非特許文献１では、光パターンの位相分布が二次元の場合については言及していない。
【００１４】
特許文献１では、書き換え可能な空間光変調素子（液晶パネルなど）のみを対象としており、固定パターンから成る回折光学素子に対しては適用できない。なぜならば、作製した回折光学素子の凹凸形状に後から手を加えて、０次光強度が小さくなるようにその形状を調整することは不可能である。
【００１５】
また特許文献１では、０次光強度を低下させる目的で、位相板により入射光波面に故意に歪を与えています（００２１参照）。この歪を補正してパターンを再生するためには、位相板と空間光変調器の位置関係が固定されていなければならない。両者の相対位置がずれると、再生されるパターンの品質は著しく低下する。
【００１６】
本発明のいくつかの態様は、光パターンを作成する第１位相分布が二次元であっても、搬送波を形成する第２位相分布を第１位相分布に重ねる交差角度を最適化できる光パターン形成装置、電子機器及びレーザー加工機を提供することを目的とする。
【課題を解決するための手段】
【００１７】
（１）本発明の一態様は、
入射光を空間変調して再生面に光パターンを再生して０次光を当該光パターンの領域外に分離する、または入射光を回析して集光面に光パターンを集光して０次光を当該光パターンの領域外に分離する、光パターン形成装置であって、
前記光パターンを作成する第１位相分布と、前記０次光を分離させる第２位相分布と、を合成した二次元位相分布Ｆ（ｘ，ｙ）を、周期を伴い且つ折り返して得られる位相データを用いて発生させ、前記入射光を透過または反射させて前記光パターンを形成する光学素子を有し、
前記二次元位相分布Ｆ（ｘ，ｙ）のｘ方向の勾配をＦｘとし、前記二次元位相分布Ｆ（ｘ，ｙ）のｙ方向の勾配をＦｙとしたとき、１／［Ｆｘ２＋Ｆｙ２］１／２が最大となる交差角度θで、前記第１位相分布と前記第２位相分布とを重ねる光パターン形成装置に関する。
【００１８】
本発明の一態様では、１／［Ｆｘ２＋Ｆｙ２］１／２が最大となる交差角度θで第１位相分布と第２位相分布とが重ねられる。つまり、合成後の二次元位相分布Ｆ（ｘ，ｙ）のｘ方向及びｙ方向の勾配Ｆｘ，Ｆｙが小さくなる交差角度θが選択される。フォトリソグラフィ工程を用いて製造される光学素子例えば回折光学素子では、ｘ方向及びｙ方向の勾配Ｆｘ，Ｆｙが小さくなるほど、製作時の誤差は小さくなる。
【００１９】
また、位相データの周期をＰとすると、周期Ｐは距離［Ｆｘ２＋Ｆｙ２］１／２に反比例し、その逆数である１／［Ｆｘ２＋Ｆｙ２］１／２に比例する。よって、１／［Ｆｘ２＋Ｆｙ２］１／２が最大であると、周期Ｐも最大となる。それにより、光学素子、例えば射光を空間変調して再生面に光パターンを再生する液晶装置や、マイクロミラーデバイスなど、あるいは入射光を回析して集光面に光パターンを集光する回折光学素子等にて、周期Ｐの位相データを実現するための二次元配列の最小要素（例えば光学変調素子の凹凸パターンや、液晶装置やマイクロミラーデバイス等の空間変調装置の画素）の周期(配列ピッチ)も大きくなり、光パターン形成装置の製作が容易になる。
【００２０】
（２）本発明の一態様では、前記位相データは２ｍπ（ｍは自然数）の周期で折り返され、前記交差角度θは、前記二次元位相分布Ｆ（ｘ，ｙ）の周期Ｐ＝２ｍπ／［Ｆｘ２＋Ｆｙ２］１／２が最大になるように構成することができる。
【００２１】
位相分布を折り返す深さは２ｍπ（ｍは自然数）で与えられる。多くの用途ではｍ＝１を採用し、２πで折り返す。実用上は光の利用効率を低下させたくないため、２πよりも小さい深さで折り返されることはない。
【００２２】
（３）本発明の一態様では、前記周期Ｐは可変周期であり、前記交差角度θは、前記可変周期の中で最も小さい周期をＰｍｉｎとしたとき、前記交差角度θは、Ｐｍｉｎ＝２π／［Ｆｘ２＋Ｆｙ２］１／２が最大になるように構成することができる。
【００２３】
周期Ｐは一定でなく可変としてもよく、それにより光パターン形成の自由度が増す。また、Ｐｍｉｎ＝２ｍπ／［Ｆｘ２＋Ｆｙ２］１／２が最大となるように交差角度θを設定すれば、光パターン形成装置の製作が容易になる。
【００２４】
（４）本発明の一態様では、前記光学素子は、前記位相データの電気信号により駆動することができる。
【００２５】
つまり、光学素子は、位相データに基づいて加工された固定パターンの回折光学素子の他、位相データが電気信号として供給されて位相変調する液晶やマイクロミラーデバイスで構成できる。
【００２６】
（５）本発明の一態様では、前記第２位相分布は一次元の周期性をもち、一周期の分布形状が非対称性を有することができる。
【００２７】
こうすると、光パターンは共役像を持たず、０次光を除いて入射光の実用上概ね１００％を光パターンに割り当てられる。
【００２８】
（６）本発明の一態様では、前記第２位相分布は、鋸歯状の分布形状とすることができる。
【００２９】
ブレーズ格子のように位相分布が断面鋸歯状であると、一周期の形状が鋸歯となって非対称性となる。
【００３０】
（７）本発明の他の態様は、（１）〜（６）のいずれかの光パターン形成装置を有する電子機器を定義している。この電子機器の一例として、光パターンを表示するディスプレイを挙げることができる。
【００３１】
（８）本発明のさらに他の他態様は、レーザー光源と、前記レーザー光源からのレーザー光が入射される（１）〜（６）のいずれかの光パターン形成装置と、を有し、前記光パターン形成装置からの光パターンに基づいてワークを加工するレーザー加工機を定義している。
【図面の簡単な説明】
【００３２】
【図１】図１（Ａ）〜図１（Ｃ）はビームアレイと０次光とを分離する原理を示し、図１（Ｂ）に本発明が適用される原理を示している。
【図２】一次元のビームアレイを上下方向に移動させて０次光から分離した例を示す図である。
【図３】ビームアレイを０次光から離す距離Ｄと、第１，第２位相分布とを重ねる交差角度θとの関係を示す図である。
【図４】図４（Ａ）は二次元位相分布Ｆ（ｘ，ｙ）をグレースケールで表現した一例を示し、図４（Ｂ）は図４（Ａ）の二次元位相分布Ｆ（ｘ，ｙ）のｘ方向に沿ったＡ−Ａ’線の断面を示す図である。
【図５】図５（Ａ）は第１位相分布をグレースケールで表現した一例を示し、図５（Ｂ）は図５（Ａ）の第１位相分布が作るパターンを示す図である。
【図６】図５（Ａ）は第１位相分布の場合に着目すべき８つの方位を示す図である。
【図７】図７（Ａ）（Ｂ）は、交差角度θ＝４５度における位相分布と周期を示す図である。
【図８】図８（Ａ）（Ｂ）は、交差角度θ＝１８０度における位相分布と周期を示す図である。
【図９】図９（Ａ）（Ｂ）は、交差角度θ＝２２５度における位相分布と周期を示す図である。
【図１０】搬送格子に乗せて再生したパターンの模式図である。
【図１１】図１１（Ａ）は、光学素子として回折光学素子に代えて液晶装置を配置した空間光変調装置を含む電子機器を示し、図１１（Ｂ）は図１１（Ａ）の空間光変調装置により位相変調されて表示面に表示される光パターンの位相分布を示す図である。
【発明を実施するための形態】
【００３３】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。なお、各図においては、各構成要素を図面上で認識し得る程度の大きさとするため、各構成要素の寸法や比率を実際のものとは適宜に異ならせてある。
【００３４】
１．第１実施形態
本実施形態の光パターン形成装置では、図１（Ｂ）に示すように、所望パターン形成する第１位相分布に搬送格子の第２位相分布が重ねられている回折光学素子１０Ｂが用いられる。
【００３５】
所望のパターンをつくる二次元の第１位相分布をｆ（ｘ，ｙ）、一次元の搬送格子の第２位相分布をｇ（ｘ、ｙ）とする。第１，第２位相分布を合成して得られる二次元位相分布Ｆ（ｘ，ｙ）はＦ（ｘ，ｙ）＝ｆ（ｘ，ｙ）＋ｇ（ｘ，ｙ）である。
【００３６】
この合成された二次元位相分布Ｆ（ｘ，ｙ）を２ｍπ（ｍは自然数）、例えばｍ＝１とした２πで折り返して得られる位相データを用い、パターンを発生させる光学素子例えば図１（Ｂ）の回折光学素子１０Ｂを例えば石英ガラスに微小凹凸パターンを形成して製作する。
【００３７】
ここで、第２位相分布ｇは、図１（Ｂ）に示すように０次光２０Ｂをビームアレイ２２Ｂの領域外とするために、ビームアレイ２２Ｂを０次光２０Ｂ（入射光の光軸）から距離Ｄだけ離すためのものである。距離Ｄは第２位相分布の周期によって定まり、第２位相分布の周期は一定とすることができる。また、距離Ｄが短いほど第２位相分布の周期を大きくできる。よって、第２位相分布を周期が大きく確保して分離距離Ｄが短くても、第１，第２位相分布を重ね合わせる交差角度θを選択することで、図１（Ｂ）のように０次光２０Ｂを分離する。
【００３８】
本実施形態では、交差角度θを選択するパラメータとして［Ｆｘ２＋Ｆｙ２］１／２に注目した。図３に示すように、横軸を二次元位相分布Ｆ（ｘ，ｙ）のｘ方向の勾配とし、縦軸を二次元位相分布Ｆ（ｘ，ｙ）のｙ方向の勾配とし、横軸及び縦軸の交点Ｏとする。図３において、二次元位相分布Ｆ（ｘ，ｙ）の勾配Ｆｘ，Ｆｙにて定まる点Ｓと交点Ｏとを結ぶ線分Ｌの長さが［Ｆｘ２＋Ｆｙ２］１／２に相当する。
【００３９】
本実施形態では、［Ｆｘ２＋Ｆｙ２］１／２の逆数である１／［Ｆｘ２＋Ｆｙ２］１／２が最大となる交差角度θで第１位相分布ｆ（ｘ，ｙ）と第２位相分布ｇ（ｘ，ｙ）とが重ねられる。つまり、合成後の二次元位相分布Ｆ（ｘ，ｙ）のｘ方向及びｙ方向の勾配Ｆｘ，Ｆｙが小さくなる交差角度θが選択される。
【００４０】
こうして、フォトリソグラフィ工程を用いて微小凹凸に加工される回折光学素子では、ｘ方向及びｙ方向の勾配Ｆｘ，Ｆｙが小さくなるほど（勾配が緩やかになるほど）、製作時の誤差は小さくなる。
【００４１】
また、位相データの周期をＰとすると、周期Ｐは［Ｆｘ２＋Ｆｙ２］１／２に反比例し、その逆数１／［Ｆｘ２＋Ｆｙ２］１／２に比例する。
【００４２】
二次元位相分布Ｆ（ｘ，ｙ）を２πで折り返して得られる位相データの周期Ｐ（ｘ，ｙ）は以下の式で与えられる。
Ｐ（ｘ，ｙ）＝２ｍπ／［Ｆｘ２＋Ｆｙ２］１／２…（１）
よって、式（１）にて１／［Ｆｘ２＋Ｆｙ２］１／２が最大であると、周期Ｐ（ｘ，ｙ）も最大となる。それにより、光学素子(例えば液晶装置、マイクロミラーデバイス、回折光学素子等)にて周期Ｐ（ｘ，ｙ）の位相データを形成する二次元配列の最小要素（例えば光学変調素子の凹凸パターンや、液晶装置やマイクロミラーデバイス等の空間変調装置の画素）の周期も大きくなり、光パターン形成装置の製作が容易になる。
【００４３】
ここで、二次元位相分布Ｆ（ｘ，ｙ）を２５６階調のグレースケールで表現した一例を図４（Ａ）に示す。図４（Ａ）の二次元位相分布Ｆ（ｘ，ｙ）のｘ方向に沿ったＡ−Ａ’線の断面を図４（Ｂ）に示す。図４（Ｂ）に示すように、二次元位相分布Ｆ（ｘ，ｙ）を２πで折り返して得られる位相データの周期Ｐ（ｘ，ｙ）のうち、Ａ−Ａ’線に沿ったｘ方向の周期Ｐｘは可変であることが分かる。同様に、図４（Ａ）に示す二次元位相分布Ｆ（ｘ，ｙ）のｙ方向の周期Ｐｙも可変であることが分かる。そして、図４（Ｂ）に示すように、二次元位相分布Ｆ（ｘ，ｙ）のｘ方向の勾配が緩やかであるほど、ｘ方向の周期ｐｘが大きくなることが分かる。
【００４４】
周期Ｐが可変周期である場合には、可変周期の中で最も小さい周期をＰｍｉｎとしたとき、交差角度θは、Ｐｍｉｎ＝２π／［Ｆｘ２＋Ｆｙ２］１／２が最大になるように設定すればよい。こうすると、製造時の誤差を小さくして、光パターン形成装置の製作が容易になる。
【００４５】
図５（Ａ）は第１位相分布ｆ（ｘ，ｙ）をグレースケールで表現した一例を示し、図５（Ｂ）は図５（Ａ）の第１位相分布ｆ（ｘ，ｙ）が作る光パターンを示す。なお、図５（Ａ）は、光学素子が回折光学素子である場合には、白が高い場所を示し、黒が低い場所を示す凹凸パターンである。図５（Ｂ）に示す光パターンはＡｉｒｙ  ｂｅａｍと呼ばれる非回折ビームの強度分布であり、その火面（光線の密度が高い点を連ねてできる曲面）は弧を描くという特徴を有する。なお、図５（Ｂ）に示す光パターン中には０次光が含まれているので、０次光を分離したい要望がある。
【００４６】
図５（Ａ）の第１位相分布ｆ（ｘ，ｙ）は、ｆ（ｘ，ｙ）＝α（ｘ３＋ｙ３）と表現される。０次光を分離する搬送波の第２位相分布ｇ（ｘ，ｙ）をｇ（ｘ，ｙ）＝β（ｘｃｏｓθ＋ｙｓｉｎθ）と与える。α（＞０）、β（＞０）を位相変調深さとすると、両者の合成である二次元位相分布Ｆ（ｘ，ｙ）は以下の式で与えられる。
Ｆ（ｘ，ｙ）＝α（ｘ３＋ｙ３）＋β（ｘｃｏｓθ＋ｙｓｉｎθ）…（２）
式（２）をｘで微分したｘ方向の勾配Ｆｘは、Ｆｘ＝３αｘ２＋βｃｏｓθとなる。同様に、式（２）をｙで微分したｙ方向の勾配Ｆｙは、Ｆｙ＝３αｙ２＋βｓｉｎθとなる。これらを式（１）に代入することにより、回折光学素子１０Ｂの周期Ｐ（ｘ，ｙ）は次式で与えられる。
Ｐ（ｘ，ｙ）＝
２π／［（３αｘ２＋βｃｏｓθ）２＋（３αｙ２＋βｓｉｎθ）２］１／２…（３）
式（３）から、周期Ｐの大小は交差角度θで決まることが分かる。
【００４７】
図５（Ａ）の第１位相分布が有する対称性から、図６に示す８つの方位（１）〜（８）の周期Ｐに注目すればよいことがわかる。以下に、個々の交差角度θで決まる方位（１）〜（８）について、式（３）に交差角度θの値を代入して求められる周期Ｐを以下に記述する。だたし、式（１）の２ｍπ＝２π（ｍ＝１の例）とする。
【００４８】
（１）θ＝０度
Ｐ＝２π／［（３αｘ２＋β）２＋（３αｙ２）２］
（２）θ＝４５度
Ｐ＝２π／［（３αｘ２＋β／√２）２＋（３αｙ２＋β√２）２］
（３）θ＝９０度
Ｐ＝２π／［（３αｘ２）２＋（３αｙ２＋β）２］
（４）θ＝１３５度
Ｐ＝２π／［（３αｘ２−β／√２）２＋（３αｙ２＋β／√２）２］
（５）θ＝１８０度
Ｐ＝２π／［（３αｘ２−β）２＋（３αｙ２）２］
（６）θ＝２２５度
Ｐ＝２π／［（３αｘ２−β／√２）２＋（３αｙ２−β／√２）２］
（７）θ＝２７０度
Ｐ＝２π／［（３αｘ２）２＋（３αｙ２−β）２］
（８）θ＝３１５度
Ｐ＝２π／［（３αｘ２＋β／√２）２＋（３αｙ２−β／√２）２］
（１）〜（８）に示す各式の分母を小さくして周期Ｐを大きくするには、交差角度θを１８０度、２２５度、２７０度のいずれかに設定することが望ましいことがわかる（１８０度と２７０度の間に優位差はない）。
【００４９】
図７（Ａ）、図８（Ａ）及び図９（Ａ）に、異なる交差角度θにおける位相分布を示す。図７（Ｂ）、図８（Ｂ）及び図９（Ｂ）に、異なる交差角度θにおける位相分布と周期を示す。図７（Ａ）（Ｂ）はθ＝４５度の方位（２）の条件であり、図８（Ａ）（Ｂ）はθ＝１８０度の方位（５）の条件であり、図９（Ａ）（Ｂ）はθ＝２２５度の方位（６）の条件である。ただし、図７〜図９では、第１位相分布ｆは図５（Ａ）に示す位相分布を採用している。第１位相分布ｆの周期は可変であり、第１，第２位相分布の合成後の位相分布ｆ＋ｇの周期［１／（ｆ＋ｇ）］も可変となる。
【００５０】
θ＝４５度の方位を示す図７（Ａ）（Ｂ）では、合成後の位相分布ｆ＋ｇの勾配が最もきつく（図７（Ａ）参照）、合成後の位相分布の可変周期のうちの最小周期は０．０４６ｍｍである（図７（Ｂ）参照）。θ＝１８０度の方位を示す図８（Ａ）（Ｂ）では、合成後の位相分布ｆ＋ｇの勾配がだいぶ緩やかになり、合成後の位相分布の可変周期のうちの最小周期［１／（ｆ＋ｇ）］は０．０９５ｍｍである。θ＝２２５度の方位を示す図９（Ａ）（Ｂ）では、合成後の位相分布ｆ＋ｇの勾配はさらに緩やかになり、合成後の位相分布の可変周期のうちの最小周期［１／（ｆ＋ｇ）］も０．１２２ｍｍまで大きくなっている。よって、第１位相分布ｆ（Ｘ，Ｙ）と第２位相分布ｇ（ｘ，ｙ）とを重ねる交差角度θとして、最小周期が最大となるθ＝２２５度の方位（７）を採用すればよいことが分かる。
【００５１】
図１０は、搬送格子に乗せて再生したパターンの模式図である。図１（Ｂ）の回折光学素子１０Ｂを製作するときの誤差により、所望のパターン２２Ｂの他に、その共役像２４が現れる。もちろん、０次光２０Ｂも現れる。この共役像２４の強度は所望の像と比べてはるかに弱いが、それでも容易に検出することができる。したがって、共役像２４の有無とその位置から、パターン再生に用いられた回折光学素子１０Ｂにおける搬送格子の重ね方を知ることが可能である。
【００５２】
第２位相分布ｇ（ｘ，ｙ）は上述の通り一次元の周期性を持つことができる。このとき、一周期の分布形状は例えば矩形パターンのように対称性ではなく、非対称性とすることができる。こうすると、図１０の所望パターン２２Ｂは共役像を持たず、０次光２０Ｂを除いて入射光の実用上概ね１００％を光パターンに割り当てることができる。この種の第２位相分布ｇ（ｘ，ｙ）としては、鋸歯状の分布形状を挙げることができる。ブレーズ格子のように位相分布が断面鋸歯状であると、一周期の形状が鋸歯となって非対称性となる。
【００５３】
２．第２実施形態
図１１（Ａ）は、光学素子として回折光学素子に代えて液晶装置例えば液晶パネル３０を用いた例を示している。この場合、第１，第２位相分布を交差角度θで交差させて重ねて合成した二次元位相分布を発生させる位相データは、例えばパーソナルコンピューター（ＰＣ）３２にて生成されてコントローラー３４を介して液晶パネル３０に供給される。液晶パネル３０では、位相データに従って液晶素子が配列されて、光源４０からの入射光を空間変調して例えば反射させ、反射光として得られる光パターンの領域から０次光を分離することができる。
【００５４】
図１１（Ｂ）は、図１１（Ａ）の空間光変調装置により位相変調された反射光が入射される位置に表示部４２を配置し、表示部４２に表示される光パターンの位相分布を示している。光源４０から例えば所定周波数にてパルス発振されたレーザーを、液晶パネル３０で反射させて表示部４２へ照射すれば、搬送格子に重畳されたパターンがホログラフィックに再生される。図１１（Ｂ）にては再生されたパターンの右上に微弱ではあるが０次光２０Ｂが現れているが、一次光の光パターン２２Ｂの領域からは分離されている。
【００５５】
このような空間光変調装置を用いたパターン再生技術をレーザー微細プロセスへ応用すると大きな効果が期待できる。例えば、図１１（Ａ）にて反射光が入射される部位にワーク４２を配置すると、ワーク４２の表面あるいは内部の複数部位を同時に加工できる。図５（Ａ）に示したＡｉｒｙ  ｂｅａｍを空間光変調装置で再生し、その再生位置（すなわち加工位置）を時々刻々変化させることにより、従来の加工法では不可能であった加工、例えば、曲がった孔の形成等が可能になる。
【００５６】
このように、空間光変調装置を駆動する電気信号を更新するだけで、回折光学素子を用いる場合とは異なり様々なパターンを発生させることができる。ここでは液晶を利用した空間光変調装置の例を示したが、マイクロミラーアレイから成る空間光変調装置等を用いてもよい。
【００５７】
なお、上記のように本実施形態について詳細に説明したが、本発明の新規事項および効果から実体的に逸脱しない多くの変形が可能であることは、当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【符号の説明】
【００５８】
１０Ｂ  光学素子、２０Ｂ  ０次光、２２Ｂ，２２Ｂ１，２２Ｂ２  ０次光から分離されたビームアレイ、２４  共役像、３０  液晶装置、３２  ＰＣ、３４  コントローラー、４０  光源、４２  表示部、ワーク
【図１】
0005987375.tif 000002
【図２】
0005987375.tif 000003
【図３】
0005987375.tif 000004
【図７】
0005987375.tif 000005
【図８】
0005987375.tif 000006
【図９】
0005987375.tif 000007
【図１１】
0005987375.tif 000008
【図４】
0005987375.tif 000009
【図５】
0005987375.tif 000010
【図６】
0005987375.tif 000011
【図１０】
0005987375.tif 000012